(57)【要約】【目的】    擦弦楽器の高音弦側駒脚底位置を基準にした前後の位置へ、「前付け」「後付け」魂柱を一対にして設ける、自先案特許（摘み付き魂柱）の上部・下部の接続部の新工夫により、該当擦弦楽器での音量改善を目指す事。【構成】    ｆ孔内側縁直近へ使用する本案の摘み付き魂柱Ａは、その最上部へ使用時には、音響孔から胴外へ突出する摘み部を有し、その直下にｆ孔内側縁直近の前記Ａ位置部分の板厚を確実に挟み込むための「コの字型」切り取り部を有し、使用時に「コの字型」切り取り部の上辺１が表板上面と接触し、直下の孔縁接点２が前記Ａ位置のｆ孔の内側縁へ接触して、その底辺の接点３を同位置のｆ孔内側縁直近表板裏面へ接触させて、更に、魂柱底辺である接点４を裏板側の該当位置（裏板側へ直接、または、前記プレートＰ）等へ接続した４箇所接点固定方式による設置方であり、  尚、孔縁魂柱Ａの底辺も前記プレートＰへの接続は有効である。【選択図】図４
2008268822.tif 000002
【特許請求の範囲】
【請求項１】
擦弦楽器胴内の魂柱は、従来、高音弦側駒脚位置より少し大胴側寄り胴内へＢ魂柱（仮名）として立てるが、別位置へ魂柱Ａを有し、この魂柱Ａの底辺と裏板側該当位置へ設ける適当大プレートＰとを接続して、
前記魂柱Ａ・Ｂは、高音弦側駒脚位置を基準にして、少し小胴側寄りを「前付け」・従来の少し大胴側寄りを「後付け」と呼び、この「前・後付け」共に、ｆ孔の内側縁直近位置を前記魂柱Ａの設置指定位置Ａとし、従来の高音弦側駒脚底下位置前後の完全胴内へ設置する魂柱を、単に、Ｂ魂柱と呼び区別して設け、
前記魂柱Ａには、上記二箇所の指定位置Ａへ使用する胴内側魂柱の孔縁魂柱Ａと、摘み付き魂柱Ａとが有り、どちらもｆ孔内側縁直近へ使用する魂柱であり、
前記摘み付き魂柱Ａは、取り付けるｆ孔内側縁直近位置の表板・裏板間より少し長い棒状部材を用い、使用時に取り付け位置の音響孔から胴外へ突出する飾り摘み部５を有し、その直下へ、取り付け位置部分の板厚、即ち、高音弦側ｆ孔内側縁直近位置を挟み付けるように「コの字型」の切り取り部を設けて、  更に、
前記飾り摘み部５は、魂柱最上部をカラーカバーで化粧したり、適当大の宝石類を好みにより選択して装着し、使用時の胴外突出部を装飾する構造であり、
前記摘み付き魂柱Ａの前記「コの字型」切り取り部の上辺１が、該当位置の表板上面と接触し、直下の孔縁接点２が該当位置のｆ孔内側縁へ接触して、その底辺の接点３を同位置のｆ孔内側縁直近の表板裏面へ接触して、更に、魂柱底辺である接点４を裏板側該当箇所の前記適当大プレートＰへ接続した、上記の４箇所接点による魂柱の固定構造を特徴とする、擦弦楽器の摘み付き魂柱Ａ。
【発明の詳細な説明】
【産業上の利用分野】
【０００１】  従来の擦弦楽器魂柱を単にＢ魂柱と呼び、これを使用した該当擦弦楽器の音量に不満がある場合に使用し、前記魂柱Ａ（孔縁魂柱・摘み付き魂柱）等の上下辺の固定構造に関する。
【背景技術】
【０００２】  従来の擦弦楽器の魂柱は、高音弦側駒脚位置より少し大胴側寄りへ「後付け」Ｂ魂柱を立てて、弦振動を駒・表板・裏板へと伝達する構造であり、他に、
本案と同名の先案（３箇所接点固定方式）・魂柱底部固定用プレート案と、その後の研究による裏板力木案、等の自案（注１）が存在する。【０００３】
【注１】
【発明が解決しようとする課題】
【０００４】  同名の先案（３箇所接点固定方式）の「摘み付き魂柱・特許」では、表板上面と接触しないので、魂柱上部の振動伝達が不充分であり、また、魂柱底辺も直接裏板側への接続構造のため、振動伝達の向上には、もう一工夫を必要とする。
【課題を解決するための手段】
【０００５】  本「摘み付き魂柱Ａ」は、表板側との接点を増加した（４箇所接点固定方式）であり、前記魂柱Ａ（孔縁魂柱・摘み付き魂柱）底辺と適当大のプレートＰとを接続し、プレートＰ全体から裏板側への振動伝達面積を増大させる構造にする。
【作用】
【０００６】  前記摘み付き魂柱は、上部の「コの字型」切り取り部の上辺１が、該当位置の表板上面と接触し、直下の孔縁接点２が前記Ａ位置のｆ孔の内側縁へ接触して、その底辺の接点３を同位置のｆ孔内側縁直近の表板裏面へ接触して、更に、魂柱底辺である接点４を裏板側の該当位置へ設ける前記プレートＰへ接続した４箇所接点固定方式により、表板側の振動を裏板側へ伝達する構造である。
【０００７】  「現行擦弦楽器（バイオリン）の胴内へ設ける魂柱位置の裏板側へ、薄板台部分の厚さ２ｍｍ〜３ｍｍ程度で周囲端に向かい薄くして厚さ０ｍｍとなり、魂柱の移動範囲をカバーできる適当大の前記プレートＰを接着しておき、……」云々、
上記は、（注１▲２▼・００２１）からの引用であるが、  更に、前記Ａ位置での裏板側の湾曲が大きいため、「前付け」「後付け」の魂柱Ａ（孔縁魂柱・摘み付き魂柱）底部が、胴の中心部へ向かって滑り易いので、これを防止する事と、魂柱底辺の振動を、このプレートＰ全体から裏板側へ伝達する構造である。
【実施例】
【０００８】  本発明の実施例ついて図面を参照して説明する。【０００９】  高音弦側駒脚底位置を基準にして、Ｂ魂柱と高音弦側駒脚位置間との距離の３倍以内小胴側寄りへ魂柱「前付けＡ」と「後付けＢ」設置を基本として、他に、高音弦側駒脚位置より大胴側の「後付けＡ」とＢ魂柱「前付けＢ」にして、高音弦側駒脚位置の前後へ魂柱Ａ・Ｂ一対を設ける構造が基本であり、例外では「前付けＡ」「後付けＡ」選択は有効、しかし、「前付けＢ」「後付けＢ」の完全胴内魂柱二本の選択では、振動板の木目に対して直線上に魂柱を配置するためか、効果は、ほとんど無い。（図１・図２・図３・図５）【００１０】  前記魂柱Ａの摘み付き魂柱は、最上部へ使用時には音響孔から胴外へ突出する摘み部を有し、直下に前記Ａ位置部分の板厚部を確実に挟み付けるため「コの字型」の切り取り部を有する構造であり、前記魂柱Ａの太さは、試作品での直径はバイオリン用でおよそ５ｍｍ・チェロ用では１０ｍｍにて製作した。（図４・図６）【００１１】            「第１実施例」
バイオリンで実験し、摘み付き魂柱Ａを前記「前付け」・胴内のＢ魂柱を前記「後付け」にした基本的な実施例である。  （図１・図２・図５）【００１２】            「第２実施例」
バイオリンで実験し、胴外突出部の無い前記孔縁魂柱Ａを「後付け」・従来の完全胴内Ｂ魂柱を「前付け」にした実施例である。  （図３）
【発明の効果】
【００１３】  自己先案特許登録「摘み付き魂柱」と本案「摘み付き魂柱Ａ」案の相違点は、使用時に、前記「コの字型」切り取り部の上辺１が、該当位置の表板上面と接触するため、先案（３箇所接点固定方式）と比較して振動伝達効率が向上し、魂柱の底辺接触位置の裏板側へ適当大のプレートＰを設ける事で、魂柱底辺の振動を前記プレートＰ全体から裏板側へ伝達する利点があり、また、最小型プレートＰでは、魂柱底辺が、胴の中心部へ向かう滑り止め部材としても利用できる。
【００１４】  魂柱最上部の摘み部は、胴外へ突出しても演奏上は全く問題ないが、外見的に「違和感あり」とするならば前記飾り摘み５にして、その短所を逆にチャームポイントにする事が考えられ、例えばプラスチック製カラーカバーや、試作では、真珠を接着剤で直接に貼り付けて顔絵を書いたり、直接に小こけしの頭を接着したため、「魂柱」と言うより「人柱」（図４・図６）のイメージになり、その他高級品にするならば、宝石類との組み合わせも可能である。
【００１５】  前記Ａ位置の魂柱が摘み部を有する構造であれば、特別な道具を用いなくても手動による簡易着脱方式のため、容易に、前記Ａ位置魂柱の有無による音量の増減を確認できる長所がある。
【図面の簡単な説明】
【図１】  魂柱ＡとＢ魂柱との位置関係説明のための正面図である。
【図２】  摘み付き魂柱ＡとＢ魂柱の第１実施例設置位置、及び、魂柱設置範囲の拡大説明図である。
【図３】  Ｂ魂柱と孔縁魂柱Ａの第２実施例設置位置、及び、魂柱設置範囲の拡大説明図である。
【図４】  摘み付き魂柱・プレートＰの設置方の胴内部分の説明図である。
【図５】  魂柱Ａ（孔縁魂柱・摘み付き魂柱）「前付け」とＢ魂柱「後付け」・プレートＰ等、裏板側の位置関係説明図である。
【図６】  摘み付き魂柱の「コの字型」切り込み部とｆ孔内側縁直近との接続部分の拡大説明図である。
【符号の説明】
Ａ………ｆ孔内側縁直近魂柱の設置位置、及び、孔縁魂柱Ａ・摘み付き魂柱Ａ（高音弦側駒脚位置前後でｆ孔内側縁直近の二箇所）
Ｂ………完全胴内魂柱（高音弦側駒脚位置前後の二箇所）
１………摘み部の底辺（コの字型切り込み部の上辺）
２………孔縁接点（コの字型切り込み部横の細い部分）
３………接点（コの字型切り込み部の下辺）
４………接点（魂柱の底辺）
５………飾り摘み
【注１】
「本発明に関する過去の自出願データ」
▲１▼
「別  案・摘み付き魂柱」
（出願番号）          特願２００２ー３３４３９７号
（登録番号）          特許第３８４０５９４号
（登録日）            平成１８年  ８月１８日
先案の特許出願当時では、「プレート案」「裏板力木Ｂ案」を未開発のため、魂柱底部を直接に裏板側の平部へ接続した案であり、
今回案との相違点は、魂柱上部の「コの字型」切り取り部の上辺１も表板上面に接触する事と、魂柱底辺を前記プレートに接続する事のみである。
▲２▼
（出願番号）          特願２００５ー１２８５９３）
（発明の名称）            擦弦楽器に於ける完全振動伝達促進方式胴内構造
（００２１）から本分へ引用した。
【図１】
2008268822.tif 000003
【図２】
2008268822.tif 000004
【図３】
2008268822.tif 000005
【図４】
2008268822.tif 000006
【図５】
2008268822.tif 000007
【図６】
2008268822.tif 000008